(57)【要約】【課題】  施工性の向上およびコスト低減を図りつつ軸組の枠状部が木痩せするなどしても断熱性能が低下することがない建築用パネルを提供することが課題である。また、加えて、廃棄処理が簡単で面材の再利用もできる建築用パネルを提供することを課題とする。【解決手段】    面材11と、この面材11の内側面１２と一方面３２が当該面材１１と接した状態で枠状部３を覆って閉塞可能なシート状部材３１と、このシート状部材３１の他方面３３に接着され外方面２３に行くにつれて縦・横寸法が枠状部３の内側の縦・横寸法よりも連続的に所定長さだけ大きく形成された発泡樹脂製の断熱材２１とを有し、この断熱材２１と連続して当該シート状部材３１の他方面３３の周縁部には当該断熱材２１よりも薄い断熱材層３５を形成する。【選択図】      図１
2006241939.tif 000002
【特許請求の範囲】
【請求項１】
軸組の枠状部に組み付けられて断熱壁を形成する建築用パネルであって、
面材と、この面材の内側面と一方面が接した状態で前記枠状部を覆って閉塞可能なシート状部材と、このシート状部材の他方面に外方面が接着され内方面に行くにつれて縦・横寸法が前記枠状部の内側の縦・横寸法よりも連続的に所定長さだけ大きく形成された発泡樹脂製の断熱材とを有し、また、この断熱材と連続して当該シート状部材の内側面の周縁部には当該断熱材よりも薄い断熱材層が形成され、
前記枠状部に組み付けられた場合には、当該シート状部材の断熱材層が弾性変形して前記各軸部材の外側面に接触するとともに当該断熱材の各側端面部が弾性変形して前記各軸部材の内側端部と接触する構成とされたことを特徴とする建築用パネル。
【請求項２】
前記面材の外側面には、突出長さが同一とされた複数の通気用胴縁が設けられている請求項１記載の建築用パネル。
【請求項３】
前記断熱壁に形成されるサッシ枠を有する窓部において、
前記面材の外側面に設けられ前記サッシ枠の一部を支持する外側サッシ枠支持部材と、当該外側サッシ枠支持部材よりも内側に配設され前記サッシ枠の他の部分を支持する内側サッシ枠支持部材とを備え、当該外側サッシ枠支持部材の外側部分が切り欠かかれて当該サッシ枠を内側にずらした状態で支持可能な支持面が形成されたことを特徴とする請求項１又は２記載の建築用パネル。
【発明の詳細な説明】
【技術分野】
【０００１】
本発明は、一般住宅等において断熱壁を形成するための建築用パネルに関する。
【背景技術】
【０００２】
一般住宅等の建築物では、室内における温度変動を少なくして居住環境を快適なものとするとともに冷暖房費の節約を図るために、断熱体を有する建築用パネルが多く用いられるようになってきている。
【０００３】
従来より、断熱体として、グラスウール等の繊維系の断熱材を利用したものが用いられている。
【０００４】
しかし、グラスウール等は、気密性が低く、エネルギ−ロスが大きい、躯体内に結露を発生させやすいなどの欠点があり、最近では板状の発泡樹脂を利用した断熱体が広く用いられるようになっている。
【０００５】
図１２に、発泡樹脂を利用した断熱体を有する建築用パネルの従来例を示す。
【０００６】
この建築用パネル５０は、木製で方形状の枠組５２と、この枠組５２の片面に付設された面材５１と、この面材５１と枠組５２とで区画された部分に収容された発泡樹脂製の断熱材５３とから形成されている。
【０００７】
上記面材５１は、合板等から形成されており、建築物の軸組２の枠状部３を室外側（または室内側）から覆える大きさを有するものとされている。ここで、枠状部３とは、軸組２を構成するいくつかの軸部材〔図示しない土台、柱５、図示しない横架材（梁、桁等）〕によって形成される枠を意味する。枠組５２は、軸組２の枠状部３に隙間なく嵌め込むことができるように縦・横寸法が決められている。また、断熱材５３は、枠組５２内で発泡等されて面材５１および枠組５２の内面に強固に接着されている。
【０００８】
かかる建築用パネル５０は、その枠組５２が建築物の軸組２の枠状部３に嵌め込まれ、かつ面材５１の内側面の周縁部５１ｓが枠状部３の室外側（又は室内側）の面に釘打ちされる。
【０００９】
ところで、上記した発泡樹脂を利用した建築用パネル５０には、木製の枠組５２等を有するので重い。そのため、作業者が扱いづらく、作業能率が悪くなりやすい。また、断熱体５０の枠組５２が大きすぎると、軸組２の枠状部３に嵌め込むことができず、小さすぎると枠状部３との間に隙間Ｇが生じて断熱性能が悪くなる。そのため、断熱体５０の枠組５２を高精度に作製する必要があり製造コストが嵩むことになる。
【００１０】
そこで、建築用パネル５０の枠組５２を用いることなく面材に断熱材を接着した建築用パネルが提案されている（たとえば、特許文献１，２，３，４参照）。
【特許文献１】特開平９−３０２７９４号公報
【特許文献２】実公昭６３−４３２９０号公報
【特許文献３】特許第３０６０２１０号公報
【特許文献４】特開平１０−１６９０３４号公
【００１１】
ここで、上記した面材に断熱材を接着した建築用パネルを用いて断熱壁を建物において、当該パネルの外側に通気層を形成しないと断熱材に結露が生じ、当該断熱材にカビ等が発生して機能低下を起こしやすい。
【００１２】
そこで、建築用パネルの外側に通気層を設けた建築が普及しつつある（外断熱工法の建物）が、当該建物の断熱壁にサッシ枠を有する窓部を形成する場合、通常、図１１に示すように、当該窓部となる周囲に配設される建築パネル５０の面材５１の外側面に、サッシ枠７１の一部を支持する外側サッシ枠支持部材８１Ｐが設けられる。また、外側サッシ枠支持部材８１Ｐよりも内側には、サッシ枠７１の残りの部分を支持する内側サッシ枠支持部材８５Ｐが設けられる。すると、通気層８がある分だけ外装材６０と内装材６５との間の距離が伸びることになり、当該内側サッシ枠支持部材８５Ｐの幅ｗ２が、外側通気層を持たない場合（図１０）の幅ｗ９よりも大きくなることになる。この内側サッシ枠支持部材８５Ｐは、室内側からは目を引きやすく、材料も比較的高価なものが使用される。そのため、幅の大きい材料を使用すると、それだけ材料費が掛かることになり建築費用が増大することになる。
【００１３】
また、面材に断熱材を接着した建築用パネルでは、建物を解体して廃棄する際に断熱材を面材から完全に取り除くことが困難で、面材ごと廃棄することが一般的であり環境破壊の観点から問題がある。また、面材および断熱材の再利用をして資源の有効利用を図ることが難しい。
【発明の開示】
【発明が解決しようとする課題】
【００１４】
本発明の目的は、施工性の向上およびコスト低減を図りつつ軸組の枠状部が木痩せするなどしても断熱性能が低下することがない建築用パネルを提供することにある。また、加えて、廃棄処理が簡単で面材の再利用もできる建築用パネルを提供することにある。
【課題を解決するための手段】
【００１５】
請求項１の発明は、軸組の枠状部に組み付けられて断熱壁を形成する建築用パネルであって、面材と、この面材の内側面と一方面が接した状態で前記枠状部を覆って閉塞可能なシート状部材と、このシート状部材の他方面に外方面が接着され内方面に行くにつれて縦・横寸法が前記枠状部の内側の縦・横寸法よりも連続的に所定長さだけ大きく形成された発泡樹脂製の断熱材とを有し、また、この断熱材と連続して当該シート状部材の内側面の周縁部には当該断熱材よりも薄い断熱材層が形成され、前記枠状部に組み付けられた場合には、当該シート状部材の断熱材層が弾性変形して前記各軸部材の外側面に接触するとともに当該断熱材の各側端面部が弾性変形して前記各軸部材の内側端部と接触する構成とされたものである。
【００１６】
上記構成の発明の場合、断熱材は、その各側端面部が末広がり型とされ弾性変形して各軸部材の内側端部に強く密着する。また、シート状部材の断熱材層が、枠状部を形成する各軸部材の外側面に密着する。したがって、軸組の枠状部が木痩するなどしても、シート状部材および断熱材は当該枠状部との間に隙間を生じることなく強固に保持される。したがって、気密性および断熱性能が低下することがない。また、従来のように断熱材の枠組を用いることがないので、施工性の向上およびコスト低減を図ることができる。また、シート状部材は、面材とは接着されていないので、枠状部から取り外した場合には面材から簡単に取り外すことができる。そのため、廃棄処理が簡単で面材の再利用もできる。
【００１７】
請求項２の発明は、前記面材の外側面には、突出長さが同一とされた複数の通気用胴縁が設けられているものである。
【００１８】
上記構成の請求項２の発明の場合、面材の外側に透湿防水シートを介して外装材を取り付ければ、所定寸法の通気層も形成されるので、より一層の施工性の向上およびコスト低減を図ることができる。
【００１９】
請求項３の発明は、前記断熱壁に形成される開口部に前記サッシ枠を有する窓部において、  前記面材の外側面に設けられ前記サッシ枠の一部を支持する外側サッシ枠支持部材と、当該外側サッシ枠支持部材よりも内側に配設され前記サッシ枠の他の部分を支持する内側サッシ枠支持部材とを備え、当該外側サッシ枠支持部材の外側部分が切り欠かかれて前記サッシ枠を内側にずらした状態で支持可能な支持面が形成されたことを特徴とするものである。
【００２０】
上記構成の発明の場合、断熱壁にサッシ枠を有する窓部を形成する場合にも、外側サッシ枠支持部材はサッシ枠を内側にずらした状態で支持できるので、その分だけ内側サッシ枠支持部材の幅を短くできる。そのため、内側サッシ枠支持部材の材料費を節約できる
【発明の効果】
【００２１】
請求項１の発によれば、面材と、この面材の内側面と一方面が接した状態で枠状部を覆って閉塞可能なシート状部材と、このシート状部材の他方面に外方面が接着され内方面に行くにつれて縦・横寸法が枠状部の内側の縦横寸法よりも連続的に所定長さだけ大きく形成された発泡樹脂製の断熱材とを有し、また、この断熱材と連続して当該シート状部材の内側面の周縁部には当該断熱材よりも薄い断熱材層が形成され、枠状部に組み付けられた場合には、当該シート状部材の断熱材層が弾性変形して各軸部材の外側面に接触するとともに当該断熱材の各側端面部が弾性変形して各軸部材の内側端部と接触する構成とされているので、断熱材の各側端面部が末広がり型とされ弾性変形して各側端部が各軸部材の内側端部に強く密着する。また、シート状部材の断熱材層が、枠状部を形成する各軸部材の外側面に密着する。したがって、軸組の枠状部が木痩するなどしても、シート状部材および断熱材は当該枠状部との間に隙間を生じることなく強固に保持される。したがって、気密性および断熱性能が低下することがない。また、従来のように断熱材の枠組を用いることがないので、施工性の向上およびコスト低減を図ることができる。また、シート状部材は、面材とは接着されていないので、枠状部から取り外した場合には面材から簡単に取り外すことができる。そのため、廃棄処理が簡単で面材および断熱性の再利用もできる。
【００２２】
請求項２の発明によれば、面材の外側面には、突出長さが同一とされた複数の通気用胴縁が設けられているので、面材の外側に透湿防水シートを介して外装材を取り付ければ、所定寸法の通気層も形成されるので、請求項１の発明の場合と同様な効果を奏する他、より一層の施工性の向上およびコスト低減を図ることができる。
【００２３】
請求項３の発明は、断熱壁に形成されるサッシ枠を有する窓部において、  面材の外側面に設けられサッシ枠の一部を支持する外側サッシ枠支持部材と、当該外側サッシ枠支持部材よりも内側に配設されサッシ枠の他の部分を支持する内側サッシ枠支持部材とを備え、当該外側サッシ枠支持部材の外側部分が切り欠かかれてサッシ枠を内側にずらした状態で支持可能な支持面が形成されているので、断熱壁に窓部を形成する場合にも、外側サッシ枠支持部材はサッシ枠を内側にずらした状態で支持できる。したがって、その分だけ内側サッシ枠支持部材の幅を短くできる。そのため、内側サッシ枠支持部材の材料費を節約できる。したがって、請求項１又は２の発明の場合と同様な効果を奏する他、より一層のコスト低減を図ることができる。
【発明を実施するための最良の形態】
【００２４】
以下、本発明の実施の形態を図面を参照しながら説明する。
【００２５】
本建築用パネル１０は、図１に示すように、建物１の軸組２の枠状部３に組み付けられて断熱壁６を形成するものであって、面材１１と、この面材１１と接した状態で枠状部３を覆って閉塞可能なシート状部材３１と、このシート状部材３１の他方面３３に外方面２３が剥がし可能に接着され内方面２５に行くにつれて縦・横寸法が枠状部３の内側の縦・横寸法よりも連続的に所定長さだけ大きく形成された発泡樹脂製の断熱材２１とを有しており、この断熱材２１と連続して当該シート状部材３１の他方面３３の周縁部には当該断熱材２１よりも薄い断熱材層３５が形成された構成とされている。
【００２６】
なお、従来例（図１０〜図１２）と共通する構成要素については同一の符号を付し、その説明を簡略化または省略する。
【００２７】
具体的には、面材１１は、例えば合板製とされている。
【００２８】
また、シート状部材３１は、その一方面３２が面材１１の内側面１２と接した状態で枠状部３を覆って閉塞可能に構成されている。  
【００２９】
より具体的には、シート状部材３１は、その長手方向に人力で撓み変形可能に構成されている。この実施形態では、シート状部材３１は、人力で撓み変形させることができるものであればどのような構成のものでもよいが、コスト低減を図れるように紙製とされている。なお、可撓性を有するプラスチック製の薄板等で形成してもよい。
【００３０】
発泡樹脂製の断熱材２１は、図２に示すように、外方面２３から内方面２５に行くにつれて縦・横寸法が枠状部３の内側の縦寸法（図７中上下方向の寸法Ｌ１）・横寸法（同図中横方向の寸法Ｌ２）よりも連続的に所定長さだけ大きく形成されている。より具体的には、断熱材２１は、図２に示すように、外方面２３から内方面２５に行くにつれて横寸法が枠状部３の横寸法（図６で柱５、５間の内側の距離Ｌ２）よりも連続的に所定長さだけ大きく形成されている。例えば、図2に示すように、断熱材２１の外方面２３の横寸法Ｌ１１は、距離（Ｌ２−α）である（αは微小距離で、例えば、Ｌ２＝８００mm、α＝０．５mm）。また、断熱材２１の外方面２３内方面２５との中央部分の横寸法Ｌ１２は、距離Ｌ２である。断熱材２１の内方面２５の横寸法Ｌ１３は、距離（Ｌ２＋β）である（βは微小距離で、例えばβ＝１mm）。
【００３１】
図５に示すように、断熱材２１の外方面２３の縦寸法Ｌ５は、距離（Ｌ１−γ）である（γは微小距離で、例えば、Ｌ１＝１５００mm、γ＝０．６mm）。また、断熱材２１の外方面２３と内方面２５との中央部分の縦寸法Ｌ６は、距離Ｌ１である。断熱材２１の内方面２５の縦寸法Ｌ７は、距離（Ｌ１＋δ）である（δは微小距離で、例えばδ＝１．２mm）。すなわち、断熱材２１は、末広がり型の形態とされている。発泡樹脂材料としては、発泡スチレン系樹脂、発泡ポリプロピレン、発泡ポリウレタン樹脂、発泡ポリイソシアヌレート系樹脂、発泡フェノール系樹脂等から適宜選択できる。
【００３２】
なお、断熱材２１付きのシート状部材３１は、図２に示すように、係止用部材（係止板３７、ビス３８）を用いて当該面材１１に仮固定される。
【００３３】
また、この実施形態では、上記したシート状部材３１の他方面３３の周縁部には、軸組２の枠状部３を形成する各軸部材（例えば、図７に示す土台９１，柱５，横架材９）の外側面（９１ａ，柱５ａ，横架材９ａ）と弾性接触して密着する断熱材層３５が形成されている。
【００３４】
より具体的には、断熱材２１付きのシート状部材３１は、例えば、次のようにして形成される。図8に示すシート状部材３１の他方面３３上で、発泡樹脂が所定倍率で発泡されて、当該他方面３３よりは若干小さい所定厚さＤ１の断熱材形成部が形成される。次に、断熱材形成部の各側端部から、余計な部分をカッタを用いて切除する。この際、上記部分を完全に取り除かずに所定厚さ部分を残存させる。これにより、カッタ９５で切除された部分が、断熱材２１と同じ材料製で厚さＤ４の断熱材層３５が形成される。なお、断熱材形成部をシート状部材３１上ではない場所で作製し、作成後にシート状部材３１の他方面３３上に接着剤等を用いて接着してもよい。
【００３５】
そして、本建築用パネル１０は、図７に示すように、シート状部材３１が面材１１とともに枠状部３に組み付けられた場合には、当該シート状部材３１の断熱材層３５が枠状部３を形成する各軸部材（９１，５，９）の外側面（９１ａ，５ａ，９ａ）に当接（密着）するとともに断熱材２１の各側端面部２２が弾性変形して各軸部材（９１，５，９）の内側端部（９１ｂ，５ｂ，９ｂ）に強く密着する。そして、シート状部材３１が枠状部３から取り外された場合には、当該シート状部材３１を人力で撓み変形させつつ断熱材２１を剥がすことができる。
【００３６】
而して、面材１１と、この面材１１の内側面１２と一方面３２が当該面材１１と接した状態で枠状部３を覆って閉塞可能なシート状部材３１と、このシート状部材３１に剥がし可能に接着された末広がり型の発泡樹脂製の断熱材２１とを有し、またシート状部材３１の他方面３３の周縁部には薄い断熱材層３５が形成された構成であるので、断熱材２１の各側端面部２２は弾性変形して各軸部材（９１，５，９）の内側端部（９１ｂ，５ｂ，９ｂ）に強く密着する。また、シート状部材３１の断熱材層３５が、枠状部３を形成する各軸部材（９１，５，９）の外側面（９１ａ，５ａ，９ａ）に密着する。したがって、枠状部３が木痩するなどしても、シート状部材３１および断熱材２１は当該枠状部３との間に隙間を生じることなく強固に保持される。したがって、気密性および断熱性能が低下することがない。また、従来のように断熱材の枠組を用いることがないので、施工性の向上およびコスト低減を図ることができる。また、シート状部材３１は、面材１１とは接着されていないので、枠状部３から取り外した場合には面材１１から簡単に取り外すことができる。そのため、廃棄処理が簡単で面材１１および断熱材２１の再利用もできる。
【００３７】
また、シート状部材３１を人力で撓み変形とされ断熱材２１全体を剥がし可能に形成したので、枠状部３から取り外された建築用パネル１０を廃棄処分する場合には、例えば作業者は片手でシート状部材３１の端部を持つとともに、もう一方の手で断熱材２１の端部を持ち、両方の手を離れる方向に動かす。これにより、シート状部材３１が撓み変形して断熱材２１がブツ切れすることなく簡単に剥れる。そのため、面材１１と断熱材２１とシート状部材３１とを完全に分離して廃棄できる。すなわち、分別廃棄も簡単に行える。また、一段と簡単かつ確実に面材１１および断熱材２１の再利用もできる。
【００３８】
また、シート状部材３１を紙製としたので、材料費が安く加工しやすい。そのため、一段とコスト低減を図れる。また、シート状部材３１を、軽い力で大きく撓み変形させて断熱材２１を分離させることができる。したがって、分別廃棄を一段と容易に行える。
【００３９】
面材１１の外側面１４に、突出長さが同一とされた複数の通気用胴縁４１を設けたので、面材１１の外側に透湿防水シートを介して外装材６０を取り付ければ、所定寸法の通気層も形成できる。したがって、より一層の施工性の向上およびコスト低減を図ることができる。
【００４０】
断熱壁６に窓部７０に形成する場合において、面材１１の外側面１４に設けられサッシ枠７１の一部を支持する外側サッシ枠支持部材８１と、当該外側サッシ枠支持部材８１よりも内側に配設されサッシ枠７１の他の部分を支持する内側サッシ枠支持部材８５とを備え、当該外側サッシ枠支持部材８１の外側部分が切り欠かかれてサッシ枠７１を内側にずらした状態で支持可能な支持面８２を形成したので、断熱壁６にサッシ枠７１を有する窓部７０を形成する場合にも、外側サッシ枠支持部材８１はサッシ枠７１を内側にずらした状態で支持できる。したがって、その分だけ内側サッシ枠支持部材８５の幅を短くできるので、内側サッシ枠支持部材８５の材料費を節約できる。
【図面の簡単な説明】
【００４１】
【図１】本発明に係る建築用パネルを説明するための図である。
【図２】断熱体の形状を詳細に説明するための図である。
【図３】面材とサッシ枠支持部材と通気胴縁との位置関係を説明するための図である。
【図４】外側サッシ枠支持部材と内側サッシ枠支持部材との位置関係を示す図である。
【図５】断熱対の縦方向の形状の形状を説明するための側面図である。
【図６】断熱対の縦方向の形状の形状を説明するための正面図である。
【図７】本建築用パネルを枠状部に組み込んだ図である。
【図８】断熱材および断熱材層を形成する方法を示す一例を示す図である。
【図９】窓部を有する断熱壁を示す斜視図である。
【図１０】通気層を有さない従来建物における内側サッシ枠支持部材の幅寸法を説明するための図である。
【図１１】従来の外断熱工法建物におけるサッシ枠支持部材の幅寸法を説明するための図である。
【図１２】従来の建築パネルを説明するための図である。
【符号の説明】
【００４２】
２  軸組
３  枠状部
５  柱
６  断熱壁
８  通気層
１０  建築用パネル
１１  面材
１２  内側面
１３  周縁部
１４  外側面
２１  断熱材
２２  側端面部
２３  外方面
２５  内方面  
３１  シート状部材
３２  一方面
３３  他方面
３５  断熱材層
３７  係止板（係止用部材）
３８  ビス（係止用部材）
４１  通気用胴縁
７０  窓部
７１  サッシ枠
８１  外側サッシ枠支持部材
８２  支持面
８５  内側サッシ枠支持部材
【図１】
2006241939.tif 000003
【図２】
2006241939.tif 000004
【図３】
2006241939.tif 000005
【図４】
2006241939.tif 000006
【図５】
2006241939.tif 000007
【図６】
2006241939.tif 000008
【図７】
2006241939.tif 000009
【図８】
2006241939.tif 000010
【図９】
2006241939.tif 000011
【図１０】
2006241939.tif 000012
【図１１】
2006241939.tif 000013
【図１２】
2006241939.tif 000014
【手続補正書】
【提出日】平成17年12月20日(2005.12.20)
【手続補正１】
【補正対象書類名】特許請求の範囲
【補正対象項目名】全文
【補正方法】変更
【補正の内容】
【特許請求の範囲】
【請求項１】
面材を有する建築用パネルを利用して断熱壁を形成しかつ当該断熱壁の外側に通気層が設けられた外断熱工法の建物において、
前記断熱壁にサッシ枠を有する窓部を備え、
前記建築用パネルの面材の外側面に設けられ前記サッシ枠の一部を支持する外側サッシ枠支持部材と、当該外側サッシ枠支持部材よりも内側に配設され前記サッシ枠の他の部分を支持する内側サッシ枠支持部材とを備え、当該外側サッシ枠支持部材の外側部分が切り欠かかれて当該サッシ枠を内側にずらした状態で支持可能な支持面が形成されたことを特徴とする外断熱工法の建物。
【手続補正２】
【補正対象書類名】明細書
【補正対象項目名】全文
【補正方法】変更
【補正の内容】
【発明の詳細な説明】
【技術分野】
【０００１】
本発明は、建築用パネルを利用して構築された外断熱工法の建物に関する。
【背景技術】
【０００２】
一般住宅等の建築物では、室内における温度変動を少なくして居住環境を快適なものとするとともに冷暖房費の節約を図るために、断熱体を有する建築用パネルが多く用いられるようになってきている。
【０００３】
従来より、断熱体として、グラスウール等の繊維系の断熱材を利用したものが用いられている。
【０００４】
しかし、グラスウール等は、気密性が低く、エネルギ−ロスが大きい、躯体内に結露を発生させやすいなどの欠点があり、最近では板状の発泡樹脂を利用した断熱体が広く用いられるようになっている。
【０００５】
図１２に、発泡樹脂を利用した断熱体を有する建築用パネルの従来例を示す。
【０００６】
この建築用パネル５０は、木製で方形状の枠組５２と、この枠組５２の片面に付設された面材５１と、この面材５１と枠組５２とで区画された部分に収容された発泡樹脂製の断熱材５３とから形成されている。
【０００７】
上記面材５１は、合板等から形成されており、建築物の軸組２の枠状部３を室外側（または室内側）から覆える大きさを有するものとされている。ここで、枠状部３とは、軸組２を構成するいくつかの軸部材〔図示しない土台、柱５、図示しない横架材（梁、桁等）〕によって形成される枠を意味する。枠組５２は、軸組２の枠状部３に隙間なく嵌め込むことができるように縦・横寸法が決められている。また、断熱材５３は、枠組５２内で発泡等されて面材５１および枠組５２の内面に強固に接着されている。
【０００８】
かかる建築用パネル５０は、その枠組５２が建築物の軸組２の枠状部３に嵌め込まれ、かつ面材５１の内側面の周縁部５１ｓが枠状部３の室外側（又は室内側）の面に釘打ちされる。
【０００９】
ところで、上記した発泡樹脂を利用した建築用パネル５０には、木製の枠組５２等を有するので重い。そのため、作業者が扱いづらく、作業能率が悪くなりやすい。また、断熱体５０の枠組５２が大きすぎると、軸組２の枠状部３に嵌め込むことができず、小さすぎると枠状部３との間に隙間Ｇが生じて断熱性能が悪くなる。そのため、断熱体５０の枠組５２を高精度に作製する必要があり製造コストが嵩むことになる。
【００１０】
そこで、建築用パネル５０の枠組５２を用いることなく面材に断熱材を接着した建築用パネルが提案されている（たとえば、特許文献１，２，３，４参照）。
【特許文献１】特開平９−３０２７９４号公報
【特許文献２】実公昭６３−４３２９０号公報
【特許文献３】特許第３０６０２１０号公報
【特許文献４】特開平１０−１６９０３４号公
【００１１】
ここで、上記した面材に断熱材を接着した建築用パネルを用いて断熱壁を建物において、当該パネルの外側に通気層を形成しないと断熱材に結露が生じ、当該断熱材にカビ等が発生して機能低下を起こしやすい。
【００１２】
そこで、建築用パネルの外側に通気層を設けた建築が普及しつつある（外断熱工法の建物）が、当該建物の断熱壁にサッシ枠を有する窓部を形成する場合、通常、図１１に示すように、当該窓部となる周囲に配設される建築パネル５０の面材５１の外側面に、サッシ枠７１の一部を支持する外側サッシ枠支持部材８１Ｐが設けられる。また、外側サッシ枠支持部材８１Ｐよりも内側には、サッシ枠７１の残りの部分を支持する内側サッシ枠支持部材８５Ｐが設けられる。すると、通気層８がある分だけ外装材６０と内装材６５との間の距離が伸びることになり、当該内側サッシ枠支持部材８５Ｐの幅ｗ２が、外側通気層を持たない場合（図１０）の幅ｗ９よりも大きくなることになる。この内側サッシ枠支持部材８５Ｐは、室内側からは目を引きやすく、材料も比較的高価なものが使用される。そのため、幅の大きい材料を使用すると、それだけ材料費が掛かることになり建築費用が増大することになる。
【発明の開示】
【発明が解決しようとする課題】
【００１３】
本発明の目的は、施工性の向上およびコスト低減を図りつつ構築できる外断熱工法の建物を提供することを目的とする。
【課題を解決するための手段】
【００１４】
請求項１の発明は、面材を有する建築用パネルを利用して断熱壁を形成しかつ当該断熱壁の外側に通気層が設けられた外断熱工法の建物において、前記断熱壁にサッシ枠を有する窓部を備え、前記建築用パネルの面材の外側面に設けられ前記サッシ枠の一部を支持する外側サッシ枠支持部材と、当該外側サッシ枠支持部材よりも内側に配設され前記サッシ枠の他の部分を支持する内側サッシ枠支持部材とを備え、当該外側サッシ枠支持部材の外側部分が切り欠かかれて当該サッシ枠を内側にずらした状態で支持可能な支持面が形成されたことを特徴とする。
【００１５】
上記構成の発明の場合、断熱壁にサッシ枠を有する窓部を形成する場合にも、外側サッシ枠支持部材はサッシ枠を内側にずらした状態で支持できるので、その分だけ内側サッシ枠支持部材の幅を短くできる。ここで、内側サッシ枠支持部材は、室内側からは目を引きやすく、材料も比較的高価なものが使用される傾向にある。そのため、内側サッシ枠支持部材の幅を短くできる分だけ材料費を節約できる。
【発明の効果】
【００１６】
請求項１の発明によれば、断熱壁にサッシ枠を有する窓部を形成する場合にも、外側サッシ枠支持部材はサッシ枠を内側にずらした状態で支持できるので、その分だけ内側サッシ枠支持部材の幅を短くでき、その結果、施工性の向上およびコスト低減を図りつつ外断熱工法住宅を構築できる
【発明を実施するための最良の形態】
【００１７】
以下、本発明の実施の形態を図面を参照しながら説明する。
【００１８】
本建築用パネル１０は、図１に示すように、建物１の軸組２の枠状部３に組み付けられて断熱壁６を形成するものであって、面材１１と、この面材１１と接した状態で枠状部３を覆って閉塞可能なシート状部材３１と、このシート状部材３１の他方面３３に外方面２３が剥がし可能に接着され内方面２５に行くにつれて縦・横寸法が枠状部３の内側の縦・横寸法よりも連続的に所定長さだけ大きく形成された発泡樹脂製の断熱材２１とを有しており、この断熱材２１と連続して当該シート状部材３１の他方面３３の周縁部には当該断熱材２１よりも薄い断熱材層３５が形成された構成とされている。
【００１９】
なお、従来例（図１０〜図１２）と共通する構成要素については同一の符号を付し、その説明を簡略化または省略する。
【００２０】
具体的には、面材１１は、例えば合板製とされている。
【００２１】
また、シート状部材３１は、その一方面３２が面材１１の内側面１２と接した状態で枠状部３を覆って閉塞可能に構成されている。  
【００２２】
より具体的には、シート状部材３１は、その長手方向に人力で撓み変形可能に構成されている。この実施形態では、シート状部材３１は、人力で撓み変形させることができるものであればどのような構成のものでもよいが、コスト低減を図れるように紙製とされている。なお、可撓性を有するプラスチック製の薄板等で形成してもよい。
【００２３】
発泡樹脂製の断熱材２１は、図２に示すように、外方面２３から内方面２５に行くにつれて縦・横寸法が枠状部３の内側の縦寸法（図７中上下方向の寸法Ｌ１）・横寸法（同図中横方向の寸法Ｌ２）よりも連続的に所定長さだけ大きく形成されている。より具体的には、断熱材２１は、図２に示すように、外方面２３から内方面２５に行くにつれて横寸法が枠状部３の横寸法（図６で柱５、５間の内側の距離Ｌ２）よりも連続的に所定長さだけ大きく形成されている。例えば、図2に示すように、断熱材２１の外方面２３の横寸法Ｌ１１は、距離（Ｌ２−α）である（αは微小距離で、例えば、Ｌ２＝８００mm、α＝０．５mm）。また、断熱材２１の外方面２３内方面２５との中央部分の横寸法Ｌ１２は、距離Ｌ２である。断熱材２１の内方面２５の横寸法Ｌ１３は、距離（Ｌ２＋β）である（βは微小距離で、例えばβ＝１mm）。
【００２４】
図５に示すように、断熱材２１の外方面２３の縦寸法Ｌ５は、距離（Ｌ１−γ）である（γは微小距離で、例えば、Ｌ１＝１５００mm、γ＝０．６mm）。また、断熱材２１の外方面２３と内方面２５との中央部分の縦寸法Ｌ６は、距離Ｌ１である。断熱材２１の内方面２５の縦寸法Ｌ７は、距離（Ｌ１＋δ）である（δは微小距離で、例えばδ＝１．２mm）。すなわち、断熱材２１は、末広がり型の形態とされている。発泡樹脂材料としては、発泡スチレン系樹脂、発泡ポリプロピレン、発泡ポリウレタン樹脂、発泡ポリイソシアヌレート系樹脂、発泡フェノール系樹脂等から適宜選択できる。
【００２５】
なお、断熱材２１付きのシート状部材３１は、図２に示すように、係止用部材（係止板３７、ビス３８）を用いて当該面材１１に仮固定される。
【００２６】
また、この実施形態では、上記したシート状部材３１の他方面３３の周縁部には、軸組２の枠状部３を形成する各軸部材（例えば、図７に示す土台９１，柱５，横架材９）の外側面（９１ａ，柱５ａ，横架材９ａ）と弾性接触して密着する断熱材層３５が形成されている。
【００２７】
より具体的には、断熱材２１付きのシート状部材３１は、例えば、次のようにして形成される。図8に示すシート状部材３１の他方面３３上で、発泡樹脂が所定倍率で発泡されて、当該他方面３３よりは若干小さい所定厚さＤ１の断熱材形成部が形成される。次に、断熱材形成部の各側端部から、余計な部分をカッタを用いて切除する。この際、上記部分を完全に取り除かずに所定厚さ部分を残存させる。これにより、カッタ９５で切除された部分が、断熱材２１と同じ材料製で厚さＤ４の断熱材層３５が形成される。なお、断熱材形成部をシート状部材３１上ではない場所で作製し、作成後にシート状部材３１の他方面３３上に接着剤等を用いて接着してもよい。
【００２８】
そして、本建築用パネル１０は、図７に示すように、シート状部材３１が面材１１とともに枠状部３に組み付けられた場合には、当該シート状部材３１の断熱材層３５が枠状部３を形成する各軸部材（９１，５，９）の外側面（９１ａ，５ａ，９ａ）に当接（密着）するとともに断熱材２１の各側端面部２２が弾性変形して各軸部材（９１，５，９）の内側端部（９１ｂ，５ｂ，９ｂ）に強く密着する。そして、シート状部材３１が枠状部３から取り外された場合には、当該シート状部材３１を人力で撓み変形させつつ断熱材２１を剥がすことができる。
【００２９】
而して、面材１１と、この面材１１の内側面１２と一方面３２が当該面材１１と接した状態で枠状部３を覆って閉塞可能なシート状部材３１と、このシート状部材３１に剥がし可能に接着された末広がり型の発泡樹脂製の断熱材２１とを有し、またシート状部材３１の他方面３３の周縁部には薄い断熱材層３５が形成された構成であるので、断熱材２１の各側端面部２２は弾性変形して各軸部材（９１，５，９）の内側端部（９１ｂ，５ｂ，９ｂ）に強く密着する。また、シート状部材３１の断熱材層３５が、枠状部３を形成する各軸部材（９１，５，９）の外側面（９１ａ，５ａ，９ａ）に密着する。したがって、枠状部３が木痩するなどしても、シート状部材３１および断熱材２１は当該枠状部３との間に隙間を生じることなく強固に保持される。したがって、気密性および断熱性能が低下することがない。また、従来のように断熱材の枠組を用いることがないので、施工性の向上およびコスト低減を図ることができる。また、シート状部材３１は、面材１１とは接着されていないので、枠状部３から取り外した場合には面材１１から簡単に取り外すことができる。そのため、廃棄処理が簡単で面材１１および断熱材２１の再利用もできる。
【００３０】
また、シート状部材３１を人力で撓み変形とされ断熱材２１全体を剥がし可能に形成したので、枠状部３から取り外された建築用パネル１０を廃棄処分する場合には、例えば作業者は片手でシート状部材３１の端部を持つとともに、もう一方の手で断熱材２１の端部を持ち、両方の手を離れる方向に動かす。これにより、シート状部材３１が撓み変形して断熱材２１がブツ切れすることなく簡単に剥れる。そのため、面材１１と断熱材２１とシート状部材３１とを完全に分離して廃棄できる。すなわち、分別廃棄も簡単に行える。また、一段と簡単かつ確実に面材１１および断熱材２１の再利用もできる。
【００３１】
また、シート状部材３１を紙製としたので、材料費が安く加工しやすい。そのため、一段とコスト低減を図れる。また、シート状部材３１を、軽い力で大きく撓み変形させて断熱材２１を分離させることができる。したがって、分別廃棄を一段と容易に行える。
【００３２】
面材１１の外側面１４に、突出長さが同一とされた複数の通気用胴縁４１を設けたので、面材１１の外側に透湿防水シートを介して外装材６０を取り付ければ、所定寸法の通気層も形成できる。したがって、より一層の施工性の向上およびコスト低減を図ることができる。
【００３３】
断熱壁６に窓部７０に形成する場合において、面材１１の外側面１４に設けられサッシ枠７１の一部を支持する外側サッシ枠支持部材８１と、当該外側サッシ枠支持部材８１よりも内側に配設されサッシ枠７１の他の部分を支持する内側サッシ枠支持部材８５とを備え、当該外側サッシ枠支持部材８１の外側部分が切り欠かかれてサッシ枠７１を内側にずらした状態で支持可能な支持面８２を形成したので、断熱壁６にサッシ枠７１を有する窓部７０を形成する場合にも、外側サッシ枠支持部材８１はサッシ枠７１を内側にずらした状態で支持できる。したがって、その分だけ内側サッシ枠支持部材８５の幅を短くできるので、内側サッシ枠支持部材８５の材料費を節約できる。
【図面の簡単な説明】
【００３４】
【図１】本発明に係る建築用パネルを説明するための図である。
【図２】断熱体の形状を詳細に説明するための図である。
【図３】面材とサッシ枠支持部材と通気胴縁との位置関係を説明するための図である。
【図４】外側サッシ枠支持部材と内側サッシ枠支持部材との位置関係を示す図である。
【図５】断熱対の縦方向の形状の形状を説明するための側面図である。
【図６】断熱対の縦方向の形状の形状を説明するための正面図である。
【図７】本建築用パネルを枠状部に組み込んだ図である。
【図８】断熱材および断熱材層を形成する方法を示す一例を示す図である。
【図９】窓部を有する断熱壁を示す斜視図である。
【図１０】通気層を有さない従来建物における内側サッシ枠支持部材の幅寸法を説明するための図である。
【図１１】従来の外断熱工法建物におけるサッシ枠支持部材の幅寸法を説明するための図である。
【図１２】従来の建築パネルを説明するための図である。
【符号の説明】
【００３５】
２  軸組
３  枠状部
５  柱
６  断熱壁
８  通気層
１０  建築用パネル
１１  面材
１２  内側面
１３  周縁部
１４  外側面
２１  断熱材
２２  側端面部
２３  外方面
２５  内方面  
３１  シート状部材
３２  一方面
３３  他方面
３５  断熱材層
３７  係止板（係止用部材）
３８  ビス（係止用部材）
４１  通気用胴縁
７０  窓部
７１  サッシ枠
８１  外側サッシ枠支持部材
８２  支持面
８５  内側サッシ枠支持部材
【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
面材を有する建築用パネルを利用して断熱壁を形成しかつ当該断熱壁の外側に通気層が設けられた外断熱工法の建物において、
前記断熱壁にサッシ枠を有する出窓部を備え、
前記建築用パネルの面材の外側面に設けられ前記サッシ枠の室外側部分を支持する外側サッシ枠支持部材と、当該外側サッシ枠支持部材よりも内側に配設され前記サッシ枠の室内側部分を支持する内側サッシ枠支持部材とを備え、当該外側サッシ枠支持部材の外側部分が切り欠かかれて当該サッシ枠を室内側にずらした状態で支持可能な支持面が形成されたことを特徴とする外断熱工法の建物。
【手続補正２】
【補正対象書類名】明細書
【補正対象項目名】全文
【補正方法】変更
【補正の内容】
【発明の詳細な説明】
【技術分野】
【０００１】
本発明は、建築用パネルを利用して構築された外断熱工法の建物に関する。
【背景技術】
【０００２】
一般住宅等の建築物では、室内における温度変動を少なくして居住環境を快適なものとするとともに冷暖房費の節約を図るために、断熱体を有する建築用パネルが多く用いられるようになってきている。
【０００３】
従来より、断熱体として、グラスウール等の繊維系の断熱材を利用したものが用いられている。
【０００４】
しかし、グラスウール等は、気密性が低く、エネルギ−ロスが大きい、躯体内に結露を発生させやすいなどの欠点があり、最近では板状の発泡樹脂を利用した断熱体が広く用いられるようになっている。
【０００５】
図１２に、発泡樹脂を利用した断熱体を有する建築用パネルの従来例を示す。
【０００６】
この建築用パネル５０は、木製で方形状の枠組５２と、この枠組５２の片面に付設された面材５１と、この面材５１と枠組５２とで区画された部分に収容された発泡樹脂製の断熱材５３とから形成されている。
【０００７】
上記面材５１は、合板等から形成されており、建築物の軸組２の枠状部３を室外側（または室内側）から覆える大きさを有するものとされている。ここで、枠状部３とは、軸組２を構成するいくつかの軸部材〔図示しない土台、柱５、図示しない横架材（梁、桁等）〕によって形成される枠を意味する。枠組５２は、軸組２の枠状部３に隙間なく嵌め込むことができるように縦・横寸法が決められている。また、断熱材５３は、枠組５２内で発泡等されて面材５１および枠組５２の内面に強固に接着されている。
【０００８】
かかる建築用パネル５０は、その枠組５２が建築物の軸組２の枠状部３に嵌め込まれ、かつ面材５１の内側面の周縁部５１ｓが枠状部３の室外側（又は室内側）の面に釘打ちされる。
【０００９】
ところで、上記した発泡樹脂を利用した建築用パネル５０には、木製の枠組５２等を有するので重い。そのため、作業者が扱いづらく、作業能率が悪くなりやすい。また、断熱体５０の枠組５２が大きすぎると、軸組２の枠状部３に嵌め込むことができず、小さすぎると枠状部３との間に隙間Ｇが生じて断熱性能が悪くなる。そのため、断熱体５０の枠組５２を高精度に作製する必要があり製造コストが嵩むことになる。
【００１０】
そこで、建築用パネル５０の枠組５２を用いることなく面材に断熱材を接着した建築用パネルが提案されている（たとえば、特許文献１，２，３，４参照）。
【特許文献１】特開平９−３０２７９４号公報
【特許文献２】実公昭６３−４３２９０号公報
【特許文献３】特許第３０６０２１０号公報
【特許文献４】特開平１０−１６９０３４号公
【００１１】
ここで、上記した面材に断熱材を接着した建築用パネルを用いて断熱壁を建物において、当該パネルの外側に通気層を形成しないと断熱材に結露が生じ、当該断熱材にカビ等が発生して機能低下を起こしやすい。
【００１２】
そこで、建築用パネルの外側に通気層を設けた建築が普及しつつある（外断熱工法の建物）が、当該建物の断熱壁にサッシ枠を有する窓部を形成する場合、通常、図１１に示すように、当該窓部となる周囲に配設される建築パネル５０の面材５１の外側面に、サッシ枠７１の一部を支持する外側サッシ枠支持部材８１Ｐが設けられる。また、外側サッシ枠支持部材８１Ｐよりも内側には、サッシ枠７１の残りの部分を支持する内側サッシ枠支持部材８５Ｐが設けられる。すると、通気層８がある分だけ外装材６０と内装材６５との間の距離が伸びることになり、当該内側サッシ枠支持部材８５Ｐの幅ｗ２が、外側通気層を持たない場合（図１０）の幅ｗ９よりも大きくなることになる。この内側サッシ枠支持部材８５Ｐは、室内側からは目を引きやすく、材料も比較的高価なものが使用される。そのため、幅の大きい材料を使用すると、それだけ材料費が掛かることになり建築費用が増大することになる。
【発明の開示】
【発明が解決しようとする課題】
【００１３】
本発明の目的は、施工性の向上およびコスト低減を図りつつ構築できる外断熱工法の建物を提供することを目的とする。
【課題を解決するための手段】
【００１４】
請求項１の発明は、面材を有する建築用パネルを利用して断熱壁を形成しかつ当該断熱壁の外側に通気層が設けられた外断熱工法の建物において、前記断熱壁にサッシ枠を有する出窓部を備え、前記建築用パネルの面材の外側面に設けられ前記サッシ枠の室外側部分を支持する外側サッシ枠支持部材と、当該外側サッシ枠支持部材よりも内側に配設され前記サッシ枠の室内側部分を支持する内側サッシ枠支持部材とを備え、当該外側サッシ枠支持部材の外側部分が切り欠かかれて当該サッシ枠を室内側にずらした状態で支持可能な支持面が形成されたことを特徴とする。
【００１５】
上記構成の発明の場合、断熱壁にサッシ枠を有する出窓部を形成する場合にも、外側サッシ枠支持部材はサッシ枠を室内側にずらした状態で支持できるので、その分だけ内側サッシ枠支持部材の幅を短くできる。ここで、内側サッシ枠支持部材は、室内側からは目を引きやすく、材料も比較的高価なものが使用される傾向にある。そのため、内側サッシ枠支持部材の幅を短くできる分だけ材料費を節約できる。
【発明の効果】
【００１６】
請求項１の発明によれば、断熱壁にサッシ枠を有する出窓部を形成する場合にも、外側サッシ枠支持部材はサッシ枠を室内側にずらした状態で支持できるので、その分だけ内側サッシ枠支持部材の幅を短くでき、その結果、施工性の向上およびコスト低減を図りつつ外断熱工法住宅を構築できる。
【発明を実施するための最良の形態】
【００１７】
以下、本発明の実施の形態を図面を参照しながら説明する。
【００１８】
本建築用パネル１０は、図１に示すように、建物１の軸組２の枠状部３に組み付けられて断熱壁６を形成するものであって、面材１１と、この面材１１と接した状態で枠状部３を覆って閉塞可能なシート状部材３１と、このシート状部材３１の他方面３３に外方面２３が剥がし可能に接着され内方面２５に行くにつれて縦・横寸法が枠状部３の内側の縦・横寸法よりも連続的に所定長さだけ大きく形成された発泡樹脂製の断熱材２１とを有しており、この断熱材２１と連続して当該シート状部材３１の他方面３３の周縁部には当該断熱材２１よりも薄い断熱材層３５が形成された構成とされている。
【００１９】
なお、従来例（図１０〜図１２）と共通する構成要素については同一の符号を付し、その説明を簡略化または省略する。
【００２０】
具体的には、面材１１は、例えば合板製とされている。
【００２１】
また、シート状部材３１は、その一方面３２が面材１１の内側面１２と接した状態で枠状部３を覆って閉塞可能に構成されている。  
【００２２】
より具体的には、シート状部材３１は、その長手方向に人力で撓み変形可能に構成されている。この実施形態では、シート状部材３１は、人力で撓み変形させることができるものであればどのような構成のものでもよいが、コスト低減を図れるように紙製とされている。なお、可撓性を有するプラスチック製の薄板等で形成してもよい。
【００２３】
発泡樹脂製の断熱材２１は、図２に示すように、外方面２３から内方面２５に行くにつれて縦・横寸法が枠状部３の内側の縦寸法（図７中上下方向の寸法Ｌ１）・横寸法（同図中横方向の寸法Ｌ２）よりも連続的に所定長さだけ大きく形成されている。より具体的には、断熱材２１は、図２に示すように、外方面２３から内方面２５に行くにつれて横寸法が枠状部３の横寸法（図６で柱５、５間の内側の距離Ｌ２）よりも連続的に所定長さだけ大きく形成されている。例えば、図2に示すように、断熱材２１の外方面２３の横寸法Ｌ１１は、距離（Ｌ２−α）である（αは微小距離で、例えば、Ｌ２＝８００mm、α＝０．５mm）。また、断熱材２１の外方面２３内方面２５との中央部分の横寸法Ｌ１２は、距離Ｌ２である。断熱材２１の内方面２５の横寸法Ｌ１３は、距離（Ｌ２＋β）である（βは微小距離で、例えばβ＝１mm）。
【００２４】
図５に示すように、断熱材２１の外方面２３の縦寸法Ｌ５は、距離（Ｌ１−γ）である（γは微小距離で、例えば、Ｌ１＝１５００mm、γ＝０．６mm）。また、断熱材２１の外方面２３と内方面２５との中央部分の縦寸法Ｌ６は、距離Ｌ１である。断熱材２１の内方面２５の縦寸法Ｌ７は、距離（Ｌ１＋δ）である（δは微小距離で、例えばδ＝１．２mm）。すなわち、断熱材２１は、末広がり型の形態とされている。発泡樹脂材料としては、発泡スチレン系樹脂、発泡ポリプロピレン、発泡ポリウレタン樹脂、発泡ポリイソシアヌレート系樹脂、発泡フェノール系樹脂等から適宜選択できる。
【００２５】
なお、断熱材２１付きのシート状部材３１は、図２に示すように、係止用部材（係止板３７、ビス３８）を用いて当該面材１１に仮固定される。
【００２６】
また、この実施形態では、上記したシート状部材３１の他方面３３の周縁部には、軸組２の枠状部３を形成する各軸部材（例えば、図７に示す土台９１，柱５，横架材９）の外側面（９１ａ，柱５ａ，横架材９ａ）と弾性接触して密着する断熱材層３５が形成されている。
【００２７】
より具体的には、断熱材２１付きのシート状部材３１は、例えば、次のようにして形成される。図8に示すシート状部材３１の他方面３３上で、発泡樹脂が所定倍率で発泡されて、当該他方面３３よりは若干小さい所定厚さＤ１の断熱材形成部が形成される。次に、断熱材形成部の各側端部から、余計な部分をカッタを用いて切除する。この際、上記部分を完全に取り除かずに所定厚さ部分を残存させる。これにより、カッタ９５で切除された部分が、断熱材２１と同じ材料製で厚さＤ４の断熱材層３５が形成される。なお、断熱材形成部をシート状部材３１上ではない場所で作製し、作成後にシート状部材３１の他方面３３上に接着剤等を用いて接着してもよい。
【００２８】
そして、本建築用パネル１０は、図７に示すように、シート状部材３１が面材１１とともに枠状部３に組み付けられた場合には、当該シート状部材３１の断熱材層３５が枠状部３を形成する各軸部材（９１，５，９）の外側面（９１ａ，５ａ，９ａ）に当接（密着）するとともに断熱材２１の各側端面部２２が弾性変形して各軸部材（９１，５，９）の内側端部（９１ｂ，５ｂ，９ｂ）に強く密着する。そして、シート状部材３１が枠状部３から取り外された場合には、当該シート状部材３１を人力で撓み変形させつつ断熱材２１を剥がすことができる。
【００２９】
而して、面材１１と、この面材１１の内側面１２と一方面３２が当該面材１１と接した状態で枠状部３を覆って閉塞可能なシート状部材３１と、このシート状部材３１に剥がし可能に接着された末広がり型の発泡樹脂製の断熱材２１とを有し、またシート状部材３１の他方面３３の周縁部には薄い断熱材層３５が形成された構成であるので、断熱材２１の各側端面部２２は弾性変形して各軸部材（９１，５，９）の内側端部（９１ｂ，５ｂ，９ｂ）に強く密着する。また、シート状部材３１の断熱材層３５が、枠状部３を形成する各軸部材（９１，５，９）の外側面（９１ａ，５ａ，９ａ）に密着する。したがって、枠状部３が木痩するなどしても、シート状部材３１および断熱材２１は当該枠状部３との間に隙間を生じることなく強固に保持される。したがって、気密性および断熱性能が低下することがない。また、従来のように断熱材の枠組を用いることがないので、施工性の向上およびコスト低減を図ることができる。また、シート状部材３１は、面材１１とは接着されていないので、枠状部３から取り外した場合には面材１１から簡単に取り外すことができる。そのため、廃棄処理が簡単で面材１１および断熱材２１の再利用もできる。
【００３０】
また、シート状部材３１を人力で撓み変形とされ断熱材２１全体を剥がし可能に形成したので、枠状部３から取り外された建築用パネル１０を廃棄処分する場合には、例えば作業者は片手でシート状部材３１の端部を持つとともに、もう一方の手で断熱材２１の端部を持ち、両方の手を離れる方向に動かす。これにより、シート状部材３１が撓み変形して断熱材２１がブツ切れすることなく簡単に剥れる。そのため、面材１１と断熱材２１とシート状部材３１とを完全に分離して廃棄できる。すなわち、分別廃棄も簡単に行える。また、一段と簡単かつ確実に面材１１および断熱材２１の再利用もできる。
【００３１】
また、シート状部材３１を紙製としたので、材料費が安く加工しやすい。そのため、一段とコスト低減を図れる。また、シート状部材３１を、軽い力で大きく撓み変形させて断熱材２１を分離させることができる。したがって、分別廃棄を一段と容易に行える。
【００３２】
面材１１の外側面１４に、突出長さが同一とされた複数の通気用胴縁４１を設けたので、面材１１の外側に透湿防水シートを介して外装材６０を取り付ければ、所定寸法の通気層も形成できる。したがって、より一層の施工性の向上およびコスト低減を図ることができる。
【００３３】
断熱壁６に出窓部７０に形成する場合において、面材１１の外側面１４に設けられサッシ枠７１の室外側部分を支持する外側サッシ枠支持部材８１と、当該外側サッシ枠支持部材８１よりも内側に配設されサッシ枠７１の室内側部分を支持する内側サッシ枠支持部材８５とを備え、当該外側サッシ枠支持部材８１の外側部分が切り欠かかれてサッシ枠７１を内側にずらした状態で支持可能な支持面８２を形成したので、断熱壁６にサッシ枠７１を有する窓部７０を形成する場合にも、外側サッシ枠支持部材８１はサッシ枠７１を室内側にずらした状態で支持できる。したがって、その分だけ内側サッシ枠支持部材８５の幅を短くできるので、内側サッシ枠支持部材８５の材料費を節約できる。
【図面の簡単な説明】
【００３４】
【図１】本発明に係る建築用パネルを説明するための図である。
【図２】断熱体の形状を詳細に説明するための図である。
【図３】面材とサッシ枠支持部材と通気胴縁との位置関係を説明するための図である。
【図４】外側サッシ枠支持部材と内側サッシ枠支持部材との位置関係を示す図である。
【図５】断熱対の縦方向の形状の形状を説明するための側面図である。
【図６】断熱対の縦方向の形状の形状を説明するための正面図である。
【図７】本建築用パネルを枠状部に組み込んだ図である。
【図８】断熱材および断熱材層を形成する方法を示す一例を示す図である。
【図９】窓部を有する断熱壁を示す斜視図である。
【図１０】通気層を有さない従来建物における内側サッシ枠支持部材の幅寸法を説明するための図である。
【図１１】従来の外断熱工法建物におけるサッシ枠支持部材の幅寸法を説明するための図である。
【図１２】従来の建築パネルを説明するための図である。
【符号の説明】
【００３５】
２  軸組
３  枠状部
５  柱
６  断熱壁
８  通気層
１０  建築用パネル
１１  面材
１２  内側面
１３  周縁部
１４  外側面
２１  断熱材
２２  側端面部
２３  外方面
２５  内方面  
３１  シート状部材
３２  一方面
３３  他方面
３５  断熱材層
３７  係止板（係止用部材）
３８  ビス（係止用部材）
４１  通気用胴縁
７０  窓部
７１  サッシ枠
８１  外側サッシ枠支持部材
８２  支持面
８５  内側サッシ枠支持部材